(57)【要約】【課題】コンパクトで比較的安価に実施でき、任意の絵柄，図形や文字等の表示を昼夜間において明瞭に表示でき、省エネ，省資源化と高寿命化の図れる内部描画とカッティングシートとの組合せによる表示板を提供する。【解決手段】合成樹脂体２の内部にはレーザ加工により任意の絵柄，図形や文字４が描画されると共に合成樹脂体２にはカッティングシート３が重合され、絵柄，図形や文字になぞらえて形成される。これ等の重合体は枠体５により周縁を保持され、枠体５内に配置されている照明体のＬＥＤ６等により照明される。夜間はＬＥＤ６で照明された内部の絵柄，図形や文字４等が表示され、昼間はカッティングシート３による絵柄，図形や文字が表示される。【選択図】      図２
2004226733.tif 000002
【特許請求の範囲】
【請求項１】
透明又は半透明の合成樹脂体とカッティングシートとを重合させてなる表示板であって、前記合成樹脂体は内部にレーザ加工により絵柄，図形や文字等を形成するものからなり、前記カッティングシートは前記絵柄等になぞられた形態からなり、前記両者により情報や案内表示を行うことを特徴とする内部描画とカッティングシートとの組合せによる表示板。
【請求項２】
前記合成樹脂体とカッティングシートとの重合体が複数組配置されることを特徴とする請求項１に記載の内部描画とカッティングシートとの組合せによる表示板。
【請求項３】
前記絵柄等は前記合成樹脂体まわりに配置される照明体によりカラー照明されることを特徴とする請求項１又は２に記載の内部描画とカッティングシートとの組合せによる表示板。
【請求項４】
前記照明体がＬＥＤ又はＥＥＦＬであることを特徴とする請求項３に記載の内部描画とカッティングシートとの組合せによる表示板。
【請求項５】
前記合成樹脂体とカッティングシートとの重合体の表面及び／又は裏面には保護膜が重合されることを特徴とする請求項１又は２に記載の内部描画とカッティングシートとの組合せによる表示板。
【請求項６】
前記合成樹脂体とカッティングシートとの重合体の裏面には反射体が重合されることを特徴とする請求項１，２及び５のいずれかに記載の内部描画とカッティングシートとの組合せによる表示板。
【発明の詳細な説明】
【０００１】
【発明の属する技術分野】
本発明は、内部に絵柄，図形や文字等をレーザ加工により形成する合成樹脂体とこの絵柄，図形や文字になぞらして重合貼着されるカッティングシートとの重合体からなる表示板に係り、特に、各種の情報や案内を昼夜間において明瞭に表示できる内部描画とカッティングシートとの組合せによる表示板に関する。
【０００２】
【従来の技術】
各種の情報や案内を表示する表示板としては極めて多種類のものが採用されている。例えば、プリント板を蛍光灯で照明するものや、多数個のＬＥＤを配置し、任意の絵柄，図面や文字等をカラフルに表示するものや、同一出願人の発明による合成樹脂板の内部に任意の絵柄等をレーザ加工により形成し、ＬＥＤ等の照明体を用いてこれ等をカラフルに表示するもの等が挙げられる。
【０００３】
【発明が解決しようとする課題】
前記した表示板は夫々特徴を有するものであるが、全体形態がコンパクトにまとめられ、比較的安価に実施できると共に昼夜間において明瞭な表示ができ、しかも省エネ，省資源の要請を満足するものは見られない。なお、同一出願人による前記表示板は前記の要請の殆どを満たすものであるが、昼夜間における明瞭表示の点において不十分のものである。
【０００４】
本発明は、以上の事情に鑑みて発明されたものであり、省エネ，省資源の要請を満足することは勿論、コンパクトにまとめられ、比較的安価に実施でき、昼夜間においても絵柄等を明瞭表示ができ、かつ数種類の表示ができ、その表示内容の交換，改良も簡単にできる内部描画とカッティングシートとの組合せによる表示板を提供することを特徴とする。
【０００５】
【課題を解決するための手段】
本発明は、以上の目的を達成するために、請求項１の発明は、透明又は半透明の合成樹脂体とカッティングシートとを重合させてなる表示板であって、前記合成樹脂体は内部にレーザ加工により絵柄，図形や文字等を形成するものからなり、前記カッティングシートは前記絵柄等になぞられた形態からなり、前記両者により情報や案内表示を行うことを特徴とする。合成樹脂体の内部に形成した絵柄，図形や文字等は照明体により照明されることにより昼夜間においてその内容を明瞭に表示できる。一方、絵柄等になぞらえてカッティングシートを重合することにより、昼間において絵柄等を明瞭に表示することができる。従って、この重合体により昼夜間ともその情報や案内を明瞭に確認することができる。しかも薄体や薄膜を重合したものであり、コンパクトにまとめられ、比較的安価に実施できる。
【０００６】
また、請求項２の発明は、前記合成樹脂体とカッティングシートとの重合体が複数組配置されることを特徴とする。重合体を複数組配置することにより、多様な情報や案内等を表示でき、かつ全体としてコンパクトにまとめられるため省スペース化が図れる。即ち、狭い空間内に配置することができる。
【０００７】
また、請求項３の発明は、前記絵柄等は前記合成樹脂体まわりに配置される照明体によりカラー照明されることを特徴とする。これにより、絵柄，図形や文字等を明瞭に、かつカラフルに表示することができる。
【０００８】
また、請求項４の発明は、前記照明体がＬＥＤ又はＥＥＦＬであることを特徴とする。ＬＥＤを用いるため、省エネができ、かつ故障もなく、寿命の大幅な向上ができる。
【０００９】
また、請求項５の発明は、前記合成樹脂体とカッティングシートとの重合体の表面及び／又は裏面には保護膜が重合されることを特徴とする。保護膜を配置することにより汚れが防止され、高寿命化が図れる。
【００１０】
また、請求項６の発明は、前記合成樹脂体とカッティングシートとの重合体の裏面には反射体が重合されることを特徴とする。これにより、絵柄，図形や文字等をより明瞭に表示することができる。
【００１１】
【発明の実施の形態】
以下、本発明の内部描画とカッティングシートとの組合せによる表示板の実施の形態を図面を参照して詳述する。図１は本発明の内部描画とカッティングシートとの組合せによる表示板を模式的に表示した平面図であり、図２はこのＡ−Ａ線に沿う模式的断面図である。図１及び図２に示すように、本発明の内部描画とカッティングシートとの組合せによる表示板１（以下、単に表示板１という）は大別して合成樹脂体２と、カッティングシート３とを重合した重合体からなる。合成樹脂体２内には任意の絵柄，図形や文字４等（図示ではＡ，Ｂの文字や横棒が記載されているが、勿論これに限定するものではなく、各種の絵柄，横棒や文字その他の図柄，マーク等が挙げられる）がレーザ加工により形成されている。なお、合成樹脂体２の内部にレーザ加工により絵柄，図形や文字等を描画する技術は同一出願人等の発明により採用されているものである。
【００１２】
一方、カッティングシート３は公知のものであり、各種の色彩が施されているシート状のものからなり、絵柄等になぞらえてカッティングして使用するものである。図１、図２では合成樹脂体２の内部にレーザ加工により描画されたＡ，Ｂの文字や横棒の形状になぞらえてこの内側にカッティングシート３が配置されている。
【００１３】
合成樹脂体２とカッティングシート３との重合体は図１，図２に示すように、バラバラにならないように枠体５によりその周縁を保持されている。また、この枠体５内には照明体の１つであるＬＥＤ６が適宜数だけ配置され、このＬＥＤ６は図略の電源や制御部に連結されている。
【００１４】
図１及び図２は単に合成樹脂体２とカッティングシート３とを重合したものであるが、図３はカッティングシート３の裏面側にハードコード又は反射板７が重合したものである。これにより絵柄，図形や文字４がより鮮明に表示される。また、図４は合成樹脂体２の表面側にカッティングシート３を重合したものである。この場合にも裏面側にハードコード又は反射板７が重合されている。
【００１５】
図５は合成樹脂体２等に描画される絵柄等の１つの例を示すものであり、例えば、ＡＢ駅からＣＤ駅までのバスや電車等の行き先き表示したものである。また、図６は郵便を取り扱っている店等に配置されている郵便マークの表示板に本発明を利用した例を示すものである。
【００１６】
ＬＥＤ６を照明することにより、合成樹脂体２内の絵柄，図形や文字４がＬＥＤ６の色彩にならった色で明瞭に表示される。よって図１，図４，図５においてＡ，Ｂや横棒、ＡＢ駅、ＣＤ駅、郵便マーク等は色彩表示され、夜間において特に明瞭に表示される。勿論、昼間でもＬＥＤ６からの光の照射によりこれ等の描画像は明瞭に表示される。一方、ＬＥＤ６を照射しなくとも絵柄，図形や文字４はカッティングシート３によりその輪郭がなぞらえているため、絵柄，図形や文字４は明瞭に表示され、認識することができる。即ち、昼間においてはカッティングシート３の部分を見ることにより絵柄，図形や文字４を明瞭に視読することができる。以上により、昼夜間をとわず、表示板１の表示は鮮明に表示され、認識することができる。
【００１７】
表示板１は単に合成樹脂体２やカッティングシート３を重合しただけのものではなく、例えば、その表面にはこの重合体を保護するための保護膜７が配設される。この保護膜７は任意のものでよいが透明又は半透明のものがよく、例えば、ポリカーボネートのハードコードや紫外線がカットフィルム等が挙げられる。
【００１８】
また、ＬＥＤ６としては各色のものがあるがフルカラのものでもよく、かつ色彩の変化するものでもよい。また、ＬＥＤの替りに省エネの機能を有し、かつより鮮度の高い照明体を用いてもよい。
【００１９】
前記の表示体１は１枚の合成樹脂体２及びカッティングシート３を重合した単一の重合体について説明したが、勿論、複数組のものでもよい。図７は前記重合体を複数（図示のものは２組）配設したものである。夫々の合成樹脂体２ａ，２ｂには異なった絵柄，図形や文字４ａ，４ｂが描画され、夫々カッティングシート３ａ，３ｂによりなぞらえられている。例えば、図８，図９に示すように、１つの合成樹脂体２ａにはＡＢ行きの表示が描画され、もう１つの合成樹脂体２ｂにはＳＯＳが描画されている。これにより、通常時にはＡＢ行きの表示が昼夜間において明瞭表示され、乗客に便宜を与えると共に、緊急事態発生時には昼夜間を問われずＳＯＳが同一の表示場所において表示され、危険状態にあることを周囲の人々に知らせることができる。なお、本発明の表示板１は比較的薄厚のものからなるため、狭い空間内において多層に配置することができる。従って、既存のバスや電車の行き先き表示板の内部にＳＯＳ等の緊急事態発生を表示する表示板を特別の改造を行うことなく設けることが容易に、かつ安価にできる。また、図７に示すように、その表面側にはハードコードや紫外線カットフィルム８が設けられ、裏面側にはハードコード又は反射板７が重合される。
【００２０】
本発明に関する表示板１についての以上の説明は極めて限定された内容についてのみであり、本発明の用途やアプリケーションは多方向に展開されることは勿論である。特に、本発明は昼夜間の明瞭表示が可能であり、かつ省エネ、省資源化ができ比較的安価に実施でき、省スベース化が図れるため、すべての表示体の替りに用いることができる。
【００２１】
【発明の効果】
１）本発明の請求項１の表示体によれば、合成樹脂体の内部描画とこれになぞらえて表示されたカッティングシートにより昼夜間を問わず、あらゆる情報，案内等を明瞭に表示することができる。また、簡便構造のもので比較的安価に実施でき、省スペース化を図ることもできる。
２）本発明の請求項２の表示体によれば、重合体を複数組配設することにより、多くの情報，案内を省スペースの同一場所において表示することができる。勿論、その内容は変更可能である。
３）本発明の請求項３の表示体によれば、絵柄等を照明体で照明することにより鮮明な表示が行われる。
４）本発明の請求項４の表示体によれば、照明体としてＬＥＤ又はＥＥＦＬを用いるため、省エネ化ができ、高寿命化が図れる。また、多色のカラー表示が可能になる。
５）本発明の請求項５の表示体によれば、保護膜を配置することにより汚れを防止し、発傷防止ができ、より高い高寿命化が図れる。
６）本発明の請求項６の表示体によれば、反射体を配置することにより、より鮮明な表示を行うことができる。
【図面の簡単な説明】
【図１】本発明の内部描画とカッティングシートとの組合せによる表示板の概要構造を示す模式的平面図。
【図２】図１のＡ−Ａ線に沿う模式的断面図。
【図３】図１の応用側を示す部分断面図。
【図４】図１の別の応用側を示す部分断面図。
【図５】本発明の内部描画とカッティングシートとの組合せによる表示板の適用例の１つを示す模式的平面図。
【図６】本発明の内部描画とカッティングシートとの組合せによる表示板の適用例の他の１つを示す模式的平面図。
【図７】重合体を複数組（図示は２組）配列した適用例を示す模式的断面図。
【図８】図７の１つの重合体の絵柄等の例を示す模式的平面図。
【図９】図７のもう１つの重合体の絵柄等の例を示す模式的平面図。
【符号の説明】
１    内部描画とカッティングシートとの組合せによる表示板（表示体）
２    合成樹脂体
２ａ  合成樹脂体
２ｂ  合成樹脂体
３    カッティングシート
３ａ  カッティングシート
３ｂ  カッティングシート
４    絵柄，図形や文字
４ａ  絵柄，図形や文字
４ｂ  絵柄，図形や文字
５    枠体
５ａ  枠体
６    ＬＥＤ
６ａ  ＬＥＤ
６ｂ  ＬＥＤ
７    ハードコード又は反射体
８    保護膜（ハードコード又は紫外線カットシート）
【図１】
2004226733.tif 000003
【図２】
2004226733.tif 000004
【図３】
2004226733.tif 000005
【図４】
2004226733.tif 000006
【図５】
2004226733.tif 000007
【図６】
2004226733.tif 000008
【図７】
2004226733.tif 000009
【図８】
2004226733.tif 000010
【図９】
2004226733.tif 000011